【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
携帯用計算デバイスにコンテンツを送信する方法であって、
該方法は、
該携帯用計算デバイスに対して遠隔のスキャンされたドキュメントに関連付けられたコンテンツに対する要求を該携帯用計算デバイスから受信することと、
該要求されたコンテンツに関連付けられた該スキャンされたドキュメントの１つ以上の部分を識別することと、
該識別された１つ以上の部分の情報タイプを決定することであって、該情報タイプは、テキスト内容を表す画像、絵を表すバイナリ画像、線または円の描画要素を用いた図を表す画像のうちの１つである、ことと、
該スキャンされたドキュメントの質を改善するために、該決定された情報タイプに従って該識別された１つ以上の部分を処理することと、
ドキュメントオブジェクトモデル（ＤＯＭ）格納装置に格納されている該スキャンされたドキュメントの要素から、該スキャンされたドキュメントの該識別された１つ以上の部分を再構成することと、
該携帯用計算デバイスに表示するために、該識別され再構成された１つ以上の部分をユニバーサルコンテンツストリームで該携帯用計算デバイスに伝送することであって、該ユニバーサルコンテンツストリームは、該携帯用計算デバイスにおいて該スキャンされたドキュメントを再生するために、本質的なコンテンツおよびフォーマットデータを含み、該本質的なコンテンツおよびフォーマットデータは、テキストコンテンツと、画像データと、ベクトルデータと、ナビゲーション情報とを含み、該ユニバーサルコンテンツストリームは、本質的ではないフォーマット情報を含まず、該本質的ではないフォーマット情報は、異なるフォントスタイルと改訂情報とを含む、ことと
を包含し、
該携帯用計算デバイスは、該スキャンされたドキュメントの該識別され再構成された１つ以上の部分を表示するためのドキュメントリーダソフトウェアアプリケーションを含み、該ドキュメントリーダソフトウェアアプリケーションは、複数のビューモードを有するグラフィックユーザインタフェースを生成し、該ドキュメントリーダソフトウェアアプリケーションは、該複数のビューモードのうちのどれが異なるタイプのデータに対して最適であるかを決定し、該最適なビューモードまたは複数のビューモードの組み合わせで該データを描画する、方法。
【請求項２】
前記ＤＯＭ格納装置に格納されている前記スキャンされたドキュメントの要素に従って該スキャンされたドキュメントの前記識別された１つ以上の部分をインデックス付けすることをさらに包含する、請求項１に記載の方法。
【請求項３】
前記スキャンされたドキュメントの１つ以上の部分を識別することは、該スキャンされたドキュメントの１つ以上の部分を識別するために、ルックアップまたはナビゲーションツリーを利用することを包含する、請求項１に記載の方法。
【請求項４】
前記スキャンされたドキュメントの１つ以上の部分を識別することは、前記要求されたコンテンツに最も関連する該スキャンされたドキュメントの部分を決定するために１つ以上の確率アルゴリズムを利用することを包含する、請求項１に記載の方法。
【請求項５】
前記識別された１つ以上の部分を再構成することは、前記携帯用計算デバイスと互換性がある所定のフォーマットで該識別された１つ以上の部分を再構成することを包含する、請求項１に記載の方法。
【請求項６】
携帯用計算デバイスにドキュメントコンテンツを無線送信する方法であって、
該方法は、
該ドキュメントコンテンツに対するナビゲーションリンクを構築するために、スキャンされたドキュメントの視覚的表示に基づく解析的処理によって、存在するナビゲーション要素、または、何も存在しない場所を識別することにより、構造化または非構造化された、スキャンされたドキュメントのコンテンツを解析することと、
該コンテンツの情報タイプを決定することであって、該情報タイプは、テキスト内容を表す画像、絵を表すバイナリ画像、線または円の描画要素を用いた図を表す画像のうちの１つである、ことと、
該スキャンされたドキュメントの質を改善するために、該決定された情報タイプに従って該コンテンツを処理することと、
該スキャンされたドキュメントにあるコンテンツに対する要求を該携帯用計算デバイスから受信することと、
該ナビゲーションリンクを用いて、該要求されたコンテンツを発見し、ユニバーサルコンテンツストリームで該携帯用計算デバイスに伝送することであって、該ユニバーサルコンテンツストリームは、該携帯用計算デバイスにおいて該スキャンされたドキュメントを再生するために、本質的なコンテンツおよびフォーマットデータを含み、該本質的なコンテンツおよびフォーマットデータは、テキストコンテンツと、画像データと、ベクトルデータと、ナビゲーション情報とを含み、該ユニバーサルコンテンツストリームは、本質的ではないフォーマット情報を含まず、該本質的ではないフォーマット情報は、異なるフォントスタイルと改訂情報とを含む、ことと
該携帯用計算デバイスにおいて該コンテンツを受信して、該コンテンツを該デバイス上で再構成することと
を包含し、
該携帯用計算デバイスは、該スキャンされたドキュメントの該再構成されたコンテンツを表示するためのドキュメントリーダソフトウェアアプリケーションを含み、該ドキュメントリーダソフトウェアアプリケーションは、複数のビューモードを有するグラフィックユーザインタフェースを生成し、該ドキュメントリーダソフトウェアアプリケーションは、該複数のビューモードのうちのどれが異なるタイプのデータに対して最適であるかを決定し、該最適なビューモードまたは複数のビューモードの組み合わせで該データを描画する、方法。
【請求項７】
前記解析または処理されたドキュメントコンテンツの要素に従って前記構造化または非構造化された、スキャンされたドキュメントのコンテンツをインデックス付けすることをさらに包含する、請求項６に記載の方法。
【請求項８】
前記解析中にコンテンツテーブルを作成することと、前記携帯用計算デバイスが前記コンテンツを要求するために該コンテンツテーブルを利用することとを包含する、請求項６に記載の方法。
【請求項９】
前記コンテンツをドキュメントオブジェクトモデルに格納することと、該ドキュメントオブジェクトモデルから前記要求されたコンテンツを取得することとを包含する、請求項６に記載の方法。
【請求項１０】
前記スキャンされたドキュメントを解析することは、該スキャンされたドキュメントをアナトミゼーション（ａｎａｔｏｍｉｚｉｎｇ）することを包含する、請求項６に記載の方法。
【請求項１１】
前記スキャンされたドキュメントのコンテンツの抜粋を前記携帯用計算デバイスに伝送することを包含する、請求項６に記載の方法。
【請求項１２】
前記コンテンツの要求に関連した該コンテンツの抜粋、および、以前に送られた該コンテンツの抜粋を予測キャッシングすることを包含する、請求項１１に記載の方法。
【請求項１３】
コンテンツを携帯用計算デバイスに送信するシステムであって、
該システムは、
携帯用計算デバイスと、
該携帯用計算デバイスに対して遠隔のスキャンされたドキュメントに関連付けられたコンテンツに対する要求を該携帯用計算デバイスから受信する手段と、
該要求されたコンテンツに関連付けられた該スキャンされたドキュメントの１つ以上の部分を識別する手段と、
該識別された１つ以上の部分の情報タイプを決定する手段であって、該情報タイプは、テキスト内容を表す画像、絵を表すバイナリ画像、線または円の描画要素を用いた図を表す画像のうちの１つである、手段と、
該スキャンされたドキュメントの質を改善するために、該決定された情報タイプに従って該識別された１つ以上の部分を処理する手段と、
ドキュメントオブジェクトモデル（ＤＯＭ）格納装置に格納されている該スキャンされたドキュメントの要素から、該スキャンされたドキュメントの該識別された１つ以上の部分を再構成する手段と、
該携帯用計算デバイス上に表示するために、該識別され再構成された１つ以上の部分をユニバーサルコンテンツストリームで該携帯用計算デバイスに伝送する手段であって、該ユニバーサルコンテンツストリームは、該携帯用計算デバイスにおいて該スキャンされたドキュメントを再生するために、本質的なコンテンツおよびフォーマットデータを含み、該本質的なコンテンツおよびフォーマットデータは、テキストコンテンツと、画像データと、ベクトルデータと、ナビゲーション情報とを含み、該ユニバーサルコンテンツストリームは、本質的ではないフォーマット情報を含まず、該本質的ではないフォーマット情報は、異なるフォントスタイルと改訂情報とを含む、手段と
を含み、
該携帯用計算デバイスは、該スキャンされたドキュメントの該識別され再構成された１つ以上の部分を表示するためのドキュメントリーダソフトウェアアプリケーションを含み、該ドキュメントリーダソフトウェアアプリケーションは、複数のビューモードを有するグラフィックユーザインタフェースを生成し、該ドキュメントリーダソフトウェアアプリケーションは、該複数のビューモードのうちのどれが異なるタイプのデータに対して最適であるかを決定し、該最適なビューモードまたは複数のビューモードの組み合わせで該データを描画する、システム。
【請求項１４】
前記ＤＯＭ格納装置に格納されている前記スキャンされたドキュメントの要素に従って該スキャンされたドキュメントの前記識別された１つ以上の部分をインデックス付けする手段をさらに含む、請求項１３に記載のシステム。
【請求項１５】
前記スキャンされたドキュメントの１つ以上の部分を識別する手段は、該スキャンされたドキュメントの１つ以上の部分を識別するためにルックアップまたはナビゲーションツリーを利用する手段を含む、請求項１３に記載のシステム。
【請求項１６】
前記スキャンされたドキュメントの１つ以上の部分を識別する手段は、前記要求されたコンテンツに最も関連する該スキャンされたドキュメントの部分を決定するために１つ以上の確率アルゴリズムを利用する手段を含む、請求項１３に記載のシステム。
【請求項１７】
前記識別された１つ以上の部分を再構成する手段は、前記携帯用計算デバイスと互換性がある所定のフォーマットで該識別された１つ以上の部分を再構成する手段を含む、請求項１３に記載のシステム。